(57)【要約】【課題】認証カードの記載事項の追加や変更があった場合には、認証カードの備考欄に人の介在なしにデータベースの記録内容を更新した後の個人情報に基づいて記録でき、及び耐久性の優れる情報が記録される。【解決手段】カード利用者の個人情報に追加及び／又は変更が生じた場合に、追加及び／又は変更の申請書に基づいてデータベースの個人情報の記録内容を書き換え、その書き換え後の個人情報に基づいて認証カードの備考欄に前記追加又は変更された情報を記録する。【選択図】図１
2004188754.tif 000002
【特許請求の範囲】
【請求項１】
認証カードの備考欄に利用者の追加及び／又は変更情報を記録する認証カードの更新発行システムにおいて、
追加及び／又は変更情報を前記備考欄に書き込むカード作成手段と、
認証カードの利用者の個人情報を記録するデータベースと、
前記データベースの記録内容を書き換える更新登録手段とを備え、
前記追加及び／又は変更情報に基づいて前記更新登録手段によって前記データベースの記録内容を更新すると共に、前記認証カードの備考欄へ前記追加及び／又は変更情報を前記カード作成手段によって記録することを特徴とする認証カードの更新発行システム。
【請求項２】
カード利用者の個人情報に追加及び／又は変更が生じた場合に、
前記追加及び／又は変更の申請書に基づいてデータベースの個人情報の記録内容を書き換え、
その書き換え後の個人情報に基づいて認証カードの備考欄に前記追加又は変更された情報を記録することを特徴とする認証カードの更新発行方法。
【請求項３】
前記認証カードの備考欄へ変更情報を記録する方法が、溶融熱転写方式で情報が追記されることを特徴とする請求項２に記載の認証カードの更新発行方法。
【請求項４】
前記認証カードの備考欄へ変更情報を記録する方法が、ＵＶ硬化インクジェット方式で情報が追記されることを特徴とする請求項２に記載の認証カードの更新発行方法。
【請求項５】
前記認証カードの備考欄へ変更情報を追記する方法が、中間転写媒体に一度インクを熱転写した後、前記認証カードの備考欄へ再転写することを特徴とする請求項２に記載の認証カードの更新発行方法。
【請求項６】
認証カードが、対向する２つの支持体間の所定の位置にＩＣチップ、ＩＣチップに隣接した補強構造物、アンテナからなるＩＣモジュールを含む部品が載置され、接着剤を介在してなるＩＣカードであり、
この認証カードの対向する前記２つの支持体のすくなくとも一方の備考欄に、前記請求項２乃至請求項５のいずれか１項に記載の認証カードの更新発行方法により情報を記録したことを特徴とする認証カード。
【発明の詳細な説明】
【０００１】
【発明の属する技術分野】
この発明は、顔写真の入った、キャッシュカード、従業者証、社員証、会員証、学生証、身分証明書、外国人登録証及び各種運転免許証などの認証カードの更新発行システム及びその更新発行方法並びに認証カードに関するものである。
【０００２】
【従来の技術】
近年、キャッシュカード、顔写真の入った従業者証、社員証、会員証、学生証、外国人登録証及び各種運転免許証などの認証カードの更新発行システムが使用される場合が多くなってきた。例えば、従業者数の多い企業では従業者証の更新発行システムが採用される場合が多い。
【０００３】
例えば認証カードの更新発行システム及びその更新発行方法では、認証カードの利用者の住所、本籍地及び氏名などの個人情報に変更がある場合には更新登録手段によってデータベースの記録内容を更新した後の個人情報に基づいて認証カードを作成するようになされるものが提案されている（例えば特許文献１）。
【０００４】
ところで、認証カードの記載事項の追加や変更があった場合には、認証カードの備考欄にその変更後の住所・氏名や追加情報を記録することが知られている（例えば特許文献２）。
【０００５】
【特許文献１】
特開２０００−３１１２１３号公報（第１〜第２２頁、図１〜図１６）
【０００６】
【特許文献２】
特開２００２−２９８０８６号公報（第１〜第２０頁、図１〜図１８）
【０００７】
【発明が解決しようとする課題】
このような場合には、データベースの記録内容を更新した後の個人情報に基づいて認証カードの備考欄に記録されるが、人が記入する場合が多いため入力ミスや判別しにくいなどの問題がある。
【０００８】
また、財布やポケットなどに長期間携帯された認証カードの筆記層に設けた備考欄は、汚れや印字部がかけたり、にじんだりして情報がわからなくなる問題があった。
【０００９】
この発明は、このような問題点について鑑み発明にいたった。すなわち、認証カードの記載事項の追加や変更があった場合には、認証カードの備考欄に人の介在なしにデータベースの記録内容を更新した後の個人情報に基づいて記録でき、及び耐久性の優れる情報が記録される認証カードの更新発行システム及びその更新発行方法並びに認証カードを提供するものである。
【００１０】
【課題を解決するための手段】
前記課題を解決し、かつ目的を達成するために、この発明は、以下のように構成した。
【００１１】
請求項１に記載の発明は、認証カードの備考欄に利用者の追加及び／又は変更情報を記録する認証カードの発行システムにおいて、
追加及び／又は変更情報を前記備考欄に書き込むカード作成手段と、
認証カードの利用者の個人情報を記録するデータベースと、
前記データベースの記録内容を書き換える更新登録手段とを備え、
前記追加及び／又は変更情報に基づいて前記更新登録手段によって前記データベースの記録内容を更新すると共に、前記認証カードの備考欄へ前記追加及び／又は変更情報を前記カード作成手段によって記録することを特徴とする認証カードの更新発行システムである。
【００１２】
この請求項１に記載の発明によれば、認証カードの利用者の追加及び／又は変更情報に基づいて、データベースを更新し、その更新情報をもとに追加及び／又は変更情報を認証カードの備考欄に記録し、人の介在なしにデータベースの記録内容を更新した後の個人情報に基づいて記録できる。
【００１３】
請求項２に記載の発明は、カード利用者の個人情報に追加及び／又は変更が生じた場合に、
前記追加及び／又は変更の申請書に基づいてデータベースの個人情報の記録内容を書き換え、
その書き換え後の個人情報に基づいて認証カードの備考欄に前記追加又は変更された情報を記録することを特徴とする認証カードの更新発行方法である。
【００１４】
この請求項２に記載の発明によれば、認証カードの記載事項の追加や変更があった場合には、認証カードの備考欄に人の介在なしにデータベースの記録内容を更新した後の個人情報に基づいて記録できる。
【００１５】
請求項３に記載の発明は、前記認証カードの備考欄へ変更情報を記録する方法が、溶融熱転写方式で情報が追記されることを特徴とする請求項２に記載の認証カードの更新発行方法である。
【００１６】
この請求項３に記載の発明によれば、溶融熱転写方式で情報が追記され、汚れや、汗などが付着した認証カードの筆記層面の備考欄への印字性に優れる。
【００１７】
請求項４に記載の発明は、前記認証カードの備考欄へ変更情報を記録する方法が、ＵＶ硬化インクジェット方式で情報が追記されることを特徴とする請求項２に記載の認証カードの更新発行方法である。
【００１８】
この請求項４に記載の発明によれば、ＵＶ硬化インクジェット方式で情報が追記され、汚れや、汗などが付着した認証カードの筆記層面の備考欄への印字性に優れる。
【００１９】
請求項５に記載の発明は、前記認証カードの備考欄へ変更情報を追記する方法が、中間転写媒体に一度インクを熱転写した後、前記認証カードの備考欄へ再転写することを特徴とする請求項２に記載の認証カードの更新発行方法である。
【００２０】
この請求項５に記載の発明によれば、中間転写媒体に一度インクを熱転写した後、認証カードの備考欄へ再転写し、汚れや、汗などが付着した認証カードの筆記層面の備考欄への印字性に優れる。
【００２１】
請求項６に記載の発明は、認証カードが、対向する２つの支持体間の所定の位置にＩＣチップ、ＩＣチップに隣接した補強構造物、アンテナからなるＩＣモジュールを含む部品が載置され、接着剤を介在してなるＩＣカードであり、
この認証カードの対向する前記２つの支持体のすくなくとも一方の備考欄に、前記請求項２乃至請求項５のいずれか１項に記載の認証カードの更新発行方法により情報を記録したことを特徴とする認証カードである。
【００２２】
この請求項６に記載の発明によれば、認証カードの対向する２つの支持体のすくなくとも一方の備考欄に、請求項２乃至請求項５のいずれか１項に記載の認証カードの更新発行方法により情報を記録し、汚れや、汗などが付着した認証カードの筆記層面の備考欄への印字性に優れる。
【００２３】
【発明の実施の形態】
以下、この発明の認証カードの更新発行システム及びその更新発行方法並びに認証カードの実施の形態を図面に基づいて詳細に説明するが、この発明は、この実施の形態に限定されない。
【００２４】
図１は、この発明の実施の形態としての認証カードの更新発行システムの構成例を示すブロック図である。この実施の形態では、カード変更・追加情報要求者の個人情報の変更の有無に基づいてそのカード更新要求者の前回登録時及び／又は更新登録後の個人情報に基づいて認証カードの備考欄へ追加又は変更情報を情報印字手段によって記録する。認証カードとして、ＩＤカードやＩＣカード等がある。
【００２５】
図１に示す認証カードの更新発行システムはデータバス８を有している。この例ではデータバス８にデータベース１５が接続され、少なくとも、認証カード３０の発行に関して得たカード利用者の個人情報Ｄ２が記録される。このデータベース１５の記録内容はデータバス８に接続された更新登録手段１６によって書き換えられる。この個人情報Ｄ２に変更がある場合には更新登録手段１６によってデータベース１５の記録内容を更新した後の個人情報Ｄ２に基づいて認証カード３０が作成される。
【００２６】
この制御手段１３にはデータバス８を介在してカード作成手段１４が接続され、制御手段１３からの比較照合結果が入力されると、更新要求者２０の個人情報Ｄ２に変更が有る場合には、更新登録手段１６を使用してデータベース１５内の前回登録時の個人情報Ｄ２が書き換えられると共に、データベース１５内で更新日及び有効期限等を自動記録した後に、カード更新要求者の変更・追加情報などの個人情報Ｄ２が認証カードの備考欄に記録形成される。
【００２７】
更新要求者２０からの個人情報Ｄ２の追加及び／又は変更情報の入力は、更新申請書４０の情報をスキャナ等の入力手段１７で読み取り、この読み取り情報をデータバス８からデータベース１５に入力される。
【００２８】
図２に示す更新申請書４０は、例えばＡ４サイズの上質紙からなる。その右上端には顔写真貼付領域Ｐ１が設けられ、カード更新要求者２０の顔写真を貼付するようになされている。この更新手続きの案内欄の下方領域には、「住所」及び「氏名」に関して「変更事項」を記載する欄Ｐ２が設けられ、転職、転居及び婚姻等により「住所」や、「氏名」が変わった場合にＩＤ情報のデータベース１５の登録内容を変更できるようになされている。
【００２９】
この更新手続きに際して、更新申請書４０の様式を記載事項の変更がある場合と、その記載事項の変更がない場合とに分けておき、カード更新要求者２０にて、そのどちらの様式の更新申請書４０を選ぶかを判断させてから個人情報Ｄ２を記入させるようにしてもよい。更新申請書４０の様式の区分は用紙の色分けによって行ってもよい。例えば、記載事項に変更がない場合には白色の更新申請書４０を配布し、記載事項に変更がある場合にはピンク色の更新申請書４０を配布するなどの色差を設けてもよい。
【００３０】
続いて、この実施の形態としての認証カードの更新発行方法について、認証カード更新発行システムの処理例を説明する。図３は認証カードの更新発行システムの処理例を示すフローチャートである。
【００３１】
この例では、カード利用者の住所、本籍地及び氏名などの個人情報Ｄ２に変更あるいは追加情報をカード更新要求者２０が認証カード発行機関に出向いて、認証カード３０を発行してもらう場合を想定する。もちろん、前回の認証カード３０の発行に関して得られたカード利用者の個人情報Ｄ２は予めカード発行機関のＩＤ情報のデータベース１５などに登録されているものとする。また、個人情報Ｄ２の変更に関する変更内容は、予めカード変更・追加などの要求者はその変更内容を更新申請書４０に記入するものとする。
【００３２】
これらを前提にして、まず、図３に示すフローチャートのステップＡ１で、カード発行機関はカード変更要求者２０が持参した更新申請書４０を受理する。この際の更新申請書４０には、転職、転居及び婚姻等により住所、氏名、本籍地、生年月日（誤記によるもの）等の変更事項の欄にその内容が記載される。従って、変更を伴う場合には、今回の認証カード３０の発行に関してカード更新要求者２０の個人情報Ｄ２の変更登録が必要になる。
【００３３】
ＩＤ情報のデータベース１５に対して個人情報Ｄ２の書き換え要求情報が出力される。登録者は更新登録手段１６を使用して前回登録時の個人情報Ｄ２を書き換える（ステップＡ２）。この際の書き換えは、更新申請書４０の「変更事項」の欄の記載に基づいて、登録者によりＩＤ情報のデータベース１５の住所又は氏名を書き換えるようになされる。その後、ステップＡ３に移行してカード更新要求者２０の更新後の個人情報Ｄ２を認証カードの備考欄に記録する。そして、認証カード３０を発行する（ステップＡ４）。
【００３４】
その後、上記処理が全部終了したか否かが判断される（ステップＡ５）。この際の判断は更新発行システムの存否判断と等価であり、当該システムが廃止にならない限り上記処理が繰り返される。このように、カード利用者の住所、氏名、本籍地及び生年月日などの個人情報Ｄ２の変更・追加情報がＩＤ情報のデータベース１５の記録内容を書き換えた後に、その書き換え後の個人情報Ｄ２に基づいて認証カード３０が作成される。
【００３５】
この実施例により、住所、本籍地及び氏名などの個人情報Ｄ２の変更更新発行システムの自動化が図れる。従って、認証カードの備考欄への変更情報などの記入に人が介在することがなく発行することができるので、記載ミスや、誤字脱字などのトラブルを解消することができる。
【００３６】
次に、認証カード及び記録方式について説明する。
【００３７】
認証カード３０の表面には、図４に示すように、カード利用者の氏名、有効期限、発行日等の情報Ｐ１０、写真画像Ｐ１１等が記録され、裏面には、図５に示すように、カード更新要求者の更新後の個人情報が備考欄Ｐ１２が記録される。
【００３８】
この認証カード３０は、図６に示すように、対向する２つの支持体４１，４２間の所定の位置にＩＣチップ４３、ＩＣチップ４３に隣接した補強構造物４４、アンテナ４５からなるＩＣモジュール４６を含む部品が載置され、接着剤４７を介在してなるＩＣカードである。
【００３９】
この認証カード３０の支持体４１の受像層４８に、カード利用者の氏名、有効期限、発行日等の情報Ｐ１０、写真画像Ｐ１１等が記録され、支持体４２の筆記層４９に設けた備考欄Ｐ１２にカード更新要求者の更新後の個人情報が記録される。
【００４０】
この認証カード３０の備考欄Ｐ１２へ変更情報を記録する方法は、溶融熱転写方式で情報が追記され、また、ＵＶ硬化インクジェット方式で情報が追記され、あるいは、中間転写媒体に一度インクを熱転写した後、認証カードの備考欄へ再転写する。
【００４１】
このように、個人情報Ｄ２の変更情報を以下に説明する記録方式で備考欄へ記録することにより、財布やポケットなどに長期間携帯した場合でも、汚れたり、印字部がかけたり、にじんだりすることがなくなり耐久性も向上する。
［認証カード］
備考欄Ｐ１２が設けられた筆記層を有する認証カードであれば、特に限定はしないが、顔画像などの情報を受容する受像層を有するカードが好ましい。例えば熱拡散性色素を受容して画像情報を形成する受像層、基材層、筆記層とをこの順に積層したカードなどが好ましい。基材としては、たとえば紙、コート紙、および合成紙（ポリプロピレン、ポリスチレンもしくは、それらを紙とはり合せた複合材料）等の各種紙類、白色または透明の塩化ビニル系樹脂シート、白色のポリエチレンテレフタレートベースフィルム、透明のポリエチレンテレフタレートベースフィルム、ポリエチレンナフタレートベースフィルム等の各種プラスチックフィルムないしシート、各種の金属で形成されたフィルムないしシート、各種のセラミックス類で形成されたフィルムないしシート等を挙げることができる。
【００４２】
この発明のＩＣカードの場合には、例えば予め、受像層を有する第１のシート材と、筆記層を有する第２のシート材を重ね合わせ、平板上のプレス等により加圧加熱し、第１のシート材と第２のシート材の間に介在される接着剤層内にＩＣチップ及びアンテナを有するＩＣユニットを封入するものがある。
［筆記層］
認証カードの表あるいは備考欄の一部あるいは全面に筆記をすることができるようにした層である。このような筆記層としては、例えば炭酸カルシウム、タルク、ケイソウ土、酸化チタン、硫酸バリウム等の無機微細粉末を熱可塑性樹脂（ポリエチレン等のポリオレフィン類や、各種共重合体等）のフィルムに含有せしめて形成することができる。特開平１−２０５１５５号公報に記載の「書き込み層」をもって形成することができる。前記筆記層は支持体における、複数の層が積層されていない方の面に形成される。
「ＵＶ硬化インクジェット方式」
ＵＶインクジェット方式は、ソルベント系インクジェット方式に比べ比較的低臭気であり、速乾性、インク吸収性の無い記録媒体への記録ができる点で、近年注目されつつあり、例えば、活性光線硬化型インクジェット用インク組成物およびその記録方法としては、特開２０００−１８６２４２、特開２０００−３３６２９５、特表２００１−５１２７７７、特開２０００−４４８５７、特開平１０−２５００５２号、特開平１０−３２４８３６号、特開２００１−２２０５２６等に記載されている。
［中間転写媒体に転写後に再転写する方式］
この発明のカードへ画像を記録するのに最良の方法の１つとしては、中間転写媒体を採用した方法が挙げられる。具体的には、鏡面対象情報を中間転写媒体に形成し、該中間転写媒体をカードに再転写して記録する工程を経た後、前記中間転写媒体を剥離する、即ち中間転写媒体を構成する支持体を剥離する工程を経ることで情報を記録するという方法である。
【００４３】
ここで使用する中間転写媒体としては、ポリエチレンテレフタレート等の樹脂からなる支持体上に剥離層を設け、その上に染料染着性の樹脂からなる転写性受像層を設けてなるものが好ましい。前記剥離層はゼラチン等の親水性樹脂や天然ワックス等の熱溶融性物質からなるものが好ましい。また、転写性受像層を構成する樹脂としては後述の受像層の好ましい樹脂として挙げるものと同様のものを好適に使用できる。
【００４４】
中間転写媒体への記録方式は特に限定はしないが、好ましくは溶融熱転写記録、電子写真方式、ＵＶ硬化インクジェット方式である。
［筆記を有する転写箔］
この発明の筆記層を有する転写箔は、離型層、透明樹脂層を有する支持体からなることが好ましく、より好ましくは離型層、筆記層、中間層、バリヤー層、プライマー層、接着層を少なくとも１つから成る層で構成されていることが好ましい。場合に後述するクッション層を含んでいても良い。
【００４５】
筆記層転写箔は、筆記層以外は従来転写箔と同様な材料を用いることができる。
【００４６】
筆記層とは、書き込み可能にした層である。このような筆記層としては、例えば炭酸カルシウム、タルク、ケイソウ土、酸化チタン、硫酸バリウム等の無機微細粉末を熱可塑性樹脂（ポリエチレン等のポリオレフィン類や、各種共重合体等）に含有せしめて形成することができる。特開平１−２０５１５５号公報に記載の「書き込み層」をもって形成することができる。また、帝国インキ社製のＵＶＳＰ筆記性インキ、ＷＲ  ＨＡＳ筆記性インキも用いることができる。この発明では特に上記した無機微細粉末を含有することが好ましい。無機顔料の含有量は、熱可塑性樹脂に対し、１０〜９０％であることが好ましく、更に好ましくは１０〜８０％であることが好ましい。筆記層の膜厚は１〜５０μｍが好ましく、より好ましくは１〜４０μｍ、更に好ましくは２μ〜４０μｍである。膜厚が１μｍ以下であるとか転写後の引っ掻き強度が低いため問題となる。また、膜厚が厚いと転写性不良が発生し問題となる。
【００４７】
以下、実施例について説明する。
［実施例１］
個人情報の変更あるいは追加要求者が持参したＩＣカードとして、ＩＣチップ部、外形が縦３ｍｍ、横３ｍｍ、厚さ０．２ｍｍのＩＣチップを用い、ＰＥＴシート間にホットメルト接着剤を充填させることでＩＣチップ及び通信用アンテナコイルを内包し、表面に顔画像を昇華型熱転写方式により形成した、厚み０．７６ｍｍの非接触式のＩＣカードを使用した。
【００４８】
なお、前記ＩＣカードには備考欄があり、下記組成の第１筆記層形成用塗工液、第２筆記層形成用塗工液及び第３筆記層形成用塗工液をこの順に塗布乾燥して、それぞれの厚みが５μｍ、１５μｍ、０．２μｍになるように積層することにより筆記層（備考欄）が形成されている。
〈第１筆記層形成用塗工液〉
ポリエステル樹脂〔東洋紡績（株）製：バイロン２００〕            ８部
イソシアネート                                                  １部
〔日本ポリウレタン工業（株）製：コロネートＨＸ〕
カーボンブラック                                                微量
二酸化チタン粒子〔石原産業（株）製：ＣＲ８０〕                  １部
メチルエチルケトン                                            ８０部
酢酸ブチル                                                    １０部
〈第２筆記層形成用塗工液〉
ポリエステル樹脂                                                ４部
〔東洋紡績（株）製：バイロナールＭＤ１２００〕
シリカ                                                          ５部
二酸化チタン粒子〔石原産業（株）製：ＣＲ８０〕                  １部
水                                                            ９０部
〈第３筆記層形成用塗工液〉
ポリアミド樹脂〔三和化学工業（株）製：サンマイド５５〕          ５部
メタノール                                                    ９５部
次いで、実施例１のシステムにおいて、ＩＣカードの個人情報の変更情報を溶融型感熱転写記録用の以下組成のインクシートのインク側と備考欄を合わせインクシート側からサーマルヘッドを用いて出力０．５Ｗ／ドット、パルス幅１．０ｍ秒、ドット密度１６ドット／ｍｍの条件で加熱することにより文字情報を備考欄上に形成した。
〈インク層形成用塗工液〉
カルナバワックス                                                １部
エチレン酢酸ビニル共重合体                                      １部
〔三井デュポンケミカル社製：ＥＶ４０Ｙ〕
カーボンブラック                                                ３部
フェノール樹脂〔荒川化学工業（株）製：タマノル５２１〕          ５部
メチルエチルケトン                                            ９０部
このように仕上がったカードの印字情報の耐久性テストとして、以下耐薬品性と耐水性の評価を実施した。結果を表１に示す。
＜耐薬品性評価＞
仕上がったカードをＩＰＡ５０％溶液、液温２５℃の１日浸積し、カード裏面を観察した。評価は目視で下記のような評価項目で評価した。
×；画像情報が消滅している。
△；５０％以上の画像情報がかすれている。
○；初期のカードと変化がない。
＜耐水性評価＞
仕上がったカードを水に７日浸積し、カード裏面を観察した。評価は目視で下記のような評価項目で評価した。
×；裏面の情報記録層の判別が不可能。
△；５０％以上の画像情報が判別できる。
○；初期のカードと変化がない。
［実施例２］
ＩＣカードの個人情報の変更情報を記録する方法を以下のＵＶ硬化インクジェット方式に変更した以外は実施例２同様の方法でカードを作成し評価した。
【００４９】
インクジェット式記録装置に用い、光硬化用の光源には、可視光光源である３００Ｗハロゲン電球を用いた。
【００５０】
インクの製造方法について説明する。まず、ポリアミド樹脂、脂肪酸ワックスおよびケトンワックスを１００℃〜２００℃程度の温度で加熱溶解する。これに上記顔料を加えて回転数５００〜５０００ｒｐｍ程度のディゾルバーにより攪拌混合した後、冷却固化してインクベースを作製した。続いて感光性組成物を調整した。具体的には、上記の重合性物質、光重合開始剤、光重合増感剤および波長増感色素を暗室内の赤色安全光のもとで秤量し、７０℃に加熱して混合した。次にカーボンブラックと上記感光性組成物とを約１２０℃に加熱して混合することにより、熱溶融性インクを得た。このようにして得られたＵＶ硬化性熱溶融性インクは、融点は１１０℃、１１０℃における粘度は１６ｍＰａ・Ｓであり、感光波長領域は４００〜６００ｎｍであってとくに４５０ｎｍ付近の可視光に対して強い硬化感度を示した。
［実施例３］
ＩＣカードの個人情報の変更情報を記録する方法を以下の再転写方式に変更した以外は実施例２同様の方法でカードを作成し評価した。
【００５１】
鏡面対象情報を実施例１同様の溶融熱転写記録で中間転写媒体に形成し、該中間転写媒体として、ポリエチレンテレフタレート支持体上に天然ワックスの剥離層を設け、その上に粘着性樹脂の転写性受像層を設けた。次いでカードに再転写して記録する工程を経た後、前記中間転写媒体を剥離する、即ち中間転写媒体を構成する支持体を剥離する工程を経ることで個人情報を記録した。
［比較例］
ＩＣカードの個人情報の変更情報を記録する方法として、変更後のデータベース情報を人がボールペンで記載した。次いで、実施例２同様の耐久性テストを実施した。
表１
2004188754.tif 000003
【００５２】
【発明の効果】
前記したように、請求項１に記載の発明では、認証カードの利用者の追加及び／又は変更情報に基づいて、データベースを更新し、その更新情報をもとに追加及び／又は変更情報を認証カードの備考欄に記録し、人の介在なしにデータベースの記録内容を更新した後の個人情報に基づいて記録でき、住所、本籍地及び氏名などの個人情報の変更更新発行システムの自動化が図れる。従って、認証カードの備考欄への変更情報などの記入に人が介在することがなく発行することができるので、記載ミスや、誤字脱字などのトラブルを解消することができる。
【００５３】
請求項２に記載の発明では、認証カードの記載事項の追加や変更があった場合には、認証カードの備考欄に人の介在なしにデータベースの記録内容を更新した後の個人情報に基づいて記録でき、個人情報の変更更新発行システムの自動化が図れる。
【００５４】
請求項３に記載の発明では、溶融熱転写方式で情報が追記され、汚れや、汗などが付着した認証カードの筆記層面の備考欄への印字性に優れ、財布やポケットなどに長期間携帯した場合でも、汚れたり印字部がかけたり、にじんだりすることがなくなり耐久性も向上する。
【００５５】
請求項４に記載の発明では、ＵＶ硬化インクジェット方式で情報が追記され、汚れや、汗などが付着した認証カードの筆記層面の備考欄への印字性に優れ、財布やポケットなどに長期間携帯した場合でも、汚れたり印字部がかけたり、にじんだりすることがなくなり耐久性も向上する。
【００５６】
請求項５に記載の発明では、中間転写媒体に一度インクを熱転写した後、認証カードの備考欄へ再転写し、汚れや、汗などが付着した認証カードの筆記層面の備考欄への印字性に優れ、財布やポケットなどに長期間携帯した場合でも、汚れたり印字部がかけたり、にじんだりすることがなくなり耐久性も向上する。
【００５７】
請求項６に記載の発明では、認証カードの対向する２つの支持体のすくなくとも一方の備考欄に、請求項２乃至請求項５のいずれか１項に記載の認証カードの更新発行方法により情報を記録し、汚れや、汗などが付着した認証カードの筆記層面の備考欄への印字性に優れ、財布やポケットなどに長期間携帯した場合でも、汚れたり印字部がかけたり、にじんだりすることがなくなり耐久性も向上する。
【図面の簡単な説明】
【図１】認証カードの更新発行システムの構成例を示すブロック図である。
【図２】更新申請書を示す図である。
【図３】認証カードの更新発行システムの処理例を示すフローチャートである。
【図４】認証カードの表面を示す図である。
【図５】認証カードの裏面を示す図である。
【図６】認証カードの断面図である。
【符号の説明】
８  データバス
１３  制御手段
１４  カード作成手段
１５  データベース
１６  更新登録手段
１７  入力手段
２０  更新要求者
３０  認証カード
４０  更新申請書
【図１】
2004188754.tif 000004
【図２】
2004188754.tif 000005
【図３】
2004188754.tif 000006
【図４】
2004188754.tif 000007
【図５】
2004188754.tif 000008
【図６】
2004188754.tif 000009